(57)【要約】【課題】  空気清浄フィルタユニットにおいて、フィルタ交換作業時の使用済みフィルタの取り外し時に、捕捉された塵埃等が使用済みフィルタから飛散するのを防ぐ。【解決手段】  フィルタ交換用蓋体７１は、フィルタ４とフィルタ固定枠２１とを備えた空気清浄フィルタユニット１のフィルタ交換作業時に用いられる部材である。ここで、フィルタ４は、空気中の塵埃等を捕捉するろ材４１と、ろ材４１の周縁部を囲むフィルタ枠４２とを有している。フィルタ固定枠２１は、フィルタ枠４２の周縁部を固定する。そして、フィルタ交換用蓋体７１は、フィルタ交換作業時において、フィルタ４をフィルタ固定枠２１から取り外す前に、フィルタ４の少なくとも上流側の面を覆うようにフィルタ４に取り付けられる。【選択図】      図３
2006015212.tif 000002
【特許請求の範囲】
【請求項１】
空気中の塵埃等を捕捉するろ材（４１、１４１）と前記ろ材の周縁部を囲むフィルタ枠（４２、１４２）とを有するフィルタ（４、１０４）と前記フィルタ枠の周縁部を固定するフィルタ固定枠（２１、１２１）とを備えた空気清浄フィルタユニット（１、１０１）のフィルタ交換作業時において、前記フィルタを前記フィルタ固定枠から取り外す前に、前記フィルタの少なくとも上流側の面を覆うように前記フィルタに取り付けられるフィルタ交換用蓋体（７１〜７４、１７１、１７４）。
【請求項２】
前記フィルタ（４、１０４）側の面には、前記フィルタ枠（４２、１４２）に貼り付けるための接着剤又は粘着剤が付着した接着部（７１ｃ、７２ｃ、７３ｃ）が設けられている、請求項１に記載のフィルタ交換用蓋体（７１〜７３、１７１）。
【請求項３】
前記フィルタ枠（４２、１４２）と前記ろ材（４１、１４１）との間に差し込むための差込部（７３ｄ）が設けられている、請求項１又は２に記載のフィルタ交換用蓋体（７３）。
【請求項４】
前記フィルタ（４、１０４）側の面には、殺菌剤が塗布又は含浸された殺菌部が設けられている、請求項１〜３のいずれかに記載のフィルタ交換用蓋体（７１〜７４、１７１、１７４）。
【請求項５】
空気中の塵埃等を捕捉するろ材（４１、１４１）と、前記ろ材の周縁部を囲むフィルタ枠（４２、１４２）とを有するフィルタ（４、１０４）と、
前記フィルタ枠の周縁部を固定するフィルタ固定枠（２１、１２１）とを備え、
前記フィルタ枠には、フィルタ交換作業時において、前記フィルタを前記フィルタ固定枠から取り外す前に、前記フィルタの少なくとも上流側の面を覆うように前記フィルタに取り付けられるフィルタ交換用蓋体（７４、１７４）を係止するための係止部（４３、１４３）が設けられている、
空気清浄フィルタユニット（１、１０１）。
【請求項６】
空気中の塵埃等を捕捉するろ材（４１、１４１）と前記ろ材の周縁部を囲むフィルタ枠（４２、１４２）とを有するフィルタ（４、１０４）と前記フィルタ枠の周縁部を固定するフィルタ固定枠（２１、１２１）とを備えた空気清浄フィルタユニット（１、１０１）のフィルタ交換方法であって、
前記フィルタの少なくとも上流側の面を覆うように前記フィルタにフィルタ交換用蓋体（７１〜７４、１７１、１７４）を取り付け、
前記フィルタ交換用蓋体が取り付けられた前記フィルタを前記フィルタ固定枠から取り外した後に、
新しいフィルタを前記フィルタ固定枠に取り付ける、
フィルタ交換方法。
【請求項７】
前記フィルタ交換用蓋体（７１〜７４、１７１、１７４）を前記フィルタ（４、１０４）に取り付ける際に、前記フィルタの上流側から下流側に向かって空気を流す運転を行う、請求項６に記載のフィルタ交換方法。
【発明の詳細な説明】
【技術分野】
【０００１】
本発明は、フィルタ交換用蓋体、空気清浄フィルタユニット、及びフィルタ交換方法に関する。
【背景技術】
【０００２】
従来より、各種空気清浄機、空気調和装置や建物内のダクト等には、空気清浄フィルタユニットが設けられている。このような空気清浄フィルタユニットは、主として、空気中の塵埃等を捕捉するろ材とろ材の周縁部を囲むフィルタ枠とを有するフィルタと、フィルタ枠の周縁部を固定するために空気清浄機や空気調和装置のユニットケーシング内やダクト内に設けられたフィルタ固定枠とを備えている。そして、この空気清浄フィルタユニットに使用されるろ材としては、室内の清浄度合いに応じて、ＨＥＰＡ、高性能や中性能フィルタが設けられており、このフィルタは、定期的に、又は、フィルタの集塵性能が低下した場合に交換する必要がある。このフィルタ交換作業は、フィルタ固定枠に取り付けられたフィルタを取り外した後、新しいフィルタを取り付けることによって行われる。また、医療施設や工場等に設置されたフィルタユニットにおいては、フィルタが細菌類や有害な化学物質を含んだ塵埃を捕捉しているため、取り外されたフィルタを医療廃棄物・産業廃棄物として回収用の袋体に入れるようにしている（例えば、特許文献１参照。）。
【特許文献１】特開２００３−３２５５９３号公報
【発明の開示】
【発明が解決しようとする課題】
【０００３】
しかし、フィルタ交換作業時の使用済みフィルタの取り外し時においては、フィルタに捕捉された塵埃等が飛散することがあり、フィルタ交換作業者が細菌類や有害な化学物質を含んだ塵埃を吸入したり、建物内の空気中に飛散させてしまうおそれがある。しかも、塵埃を飛散させないようにするために、フィルタの取り外し作業をゆっくりと行わざるを得ず、作業性が低下するという問題が生じている。
【０００４】
本発明の課題は、空気清浄フィルタユニットにおいて、フィルタ交換作業時の使用済みフィルタの取り外し時に、捕捉された塵埃等が使用済みフィルタから飛散するのを防ぐことにある。
【課題を解決するための手段】
【０００５】
第１の発明にかかるフィルタ交換用蓋体は、フィルタとフィルタ固定枠とを備えた空気清浄フィルタユニットのフィルタ交換作業時に用いられる部材である。ここで、フィルタは、空気中の塵埃等を捕捉するろ材と、ろ材の周縁部を囲むフィルタ枠とを有している。フィルタ固定枠は、フィルタ枠の周縁部を固定する。そして、フィルタ交換用蓋体は、フィルタ交換作業時において、フィルタをフィルタ固定枠から取り外す前に、フィルタの少なくとも上流側の面を覆うようにフィルタに取り付けられる。
【０００６】
これにより、空気清浄フィルタユニットのフィルタ交換作業時において、フィルタをフィルタ固定枠から取り外す際の塵埃等の飛散を防ぐことができるため、フィルタ交換作業者が細菌類や有害な化学物質を含んだ塵埃を吸入したり、建物内の空気中に飛散させてしまうおそれがなくなり、フィルタをフィルタ固定枠から取り外す際の作業性が向上する。尚、フィルタ交換用蓋体によって覆われるフィルタの面を「少なくとも上流側」としたのは、フィルタの下流側の面に比べてフィルタの上流側の面において捕捉される塵埃等の量が多いためである。このため、例えば、フィルタが非常に汚れている場合には、フィルタをフィルタ固定枠から取り外す前に、フィルタの上流側の面だけでなく、フィルタの下流側の面にもフィルタ交換用蓋体を取り付けることが望ましい。
【０００７】
第２の発明にかかるフィルタ交換用蓋体は、第１の発明にかかるフィルタ交換用蓋体において、フィルタ側の面には、フィルタ枠に貼り付けるための接着剤又は粘着剤が付着した接着部が設けられている。
このフィルタ交換用蓋体には、フィルタ側の面にフィルタ枠に貼り付けるための接着剤又は粘着剤が付着した接着部が設けられているため、フィルタへの取り付けが容易である。
【０００８】
第３の発明にかかるフィルタ交換用蓋体は、第１又は第２の発明にかかるフィルタ交換用蓋体において、フィルタ枠とろ材との間に差し込むための差込部が設けられている。
このフィルタ交換用蓋体には、フィルタ枠とろ材との間に差し込むための差込部が設けられているため、フィルタへの取り付けが容易である。
第４の発明にかかるフィルタ交換用蓋体は、第１〜第３の発明にかかるフィルタ交換用蓋体において、フィルタ側の面には、殺菌剤が塗布又は含浸された殺菌部が設けられている。
【０００９】
このフィルタ交換用蓋体には、フィルタ側の面に殺菌剤が塗布又は含浸された殺菌部が設けられているため、フィルタの滅菌処理を併せて行うことができる。
第５の発明にかかる空気清浄フィルタユニットは、フィルタと、フィルタ固定枠とを備えている。フィルタは、空気中の塵埃等を捕捉するろ材と、ろ材の周縁部を囲むフィルタ枠とを有している。フィルタ固定枠は、フィルタ枠の周縁部を固定する。フィルタ枠には、フィルタ交換作業時において、フィルタをフィルタ固定枠から取り外す前に、フィルタの少なくとも上流側の面を覆うようにフィルタに取り付けられるフィルタ交換用蓋体を係止するための係止部が設けられている。
【００１０】
この空気清浄フィルタユニットは、フィルタ交換作業時において、フィルタをフィルタ固定枠から取り外す前に、フィルタの少なくとも上流側の面を覆うようにフィルタに取り付けられるフィルタ交換用蓋体を係止するためのフィルタ枠に係止部が設けられているため、フィルタをフィルタ固定枠から取り外す際の塵埃等の飛散を防ぐことができるようになる。これにより、フィルタ交換作業者が細菌類や有害な化学物質を含んだ塵埃を吸入したり、建物内の空気中に飛散させてしまうおそれがなくなり、フィルタをフィルタ固定枠から取り外す際の作業性が向上する。尚、フィルタ交換用蓋体によって覆われるフィルタの面を「少なくとも上流側」としたのは、フィルタの下流側の面に比べてフィルタの上流側の面において捕捉される塵埃等の量が多いためである。このため、例えば、フィルタが非常に汚れている場合には、フィルタをフィルタ固定枠から取り外す前に、フィルタの上流側の面だけでなく、フィルタの下流側の面にもフィルタ交換用蓋体を取り付けることが望ましい。
【００１１】
第６の発明にかかるフィルタ交換方法は、空気中の塵埃等を捕捉するろ材とろ材の周縁部を囲むフィルタ枠とを有するフィルタとフィルタ枠の周縁部を固定するフィルタ固定枠とを備えた空気清浄フィルタユニットのフィルタ交換方法であって、以下の手順によって行われる。まず、フィルタの少なくとも上流側の面を覆うようにフィルタにフィルタ交換用蓋体を取り付ける。次に、フィルタ交換用蓋体が取り付けられたフィルタをフィルタ固定枠から取り外す。次に、新しいフィルタをフィルタ固定枠に取り付ける。
【００１２】
このフィルタ交換方法では、空気清浄フィルタユニットのフィルタ交換作業時において、フィルタをフィルタ固定枠から取り外す際の塵埃等の飛散を防ぐことができるため、フィルタ交換作業者が細菌類や有害な化学物質を含んだ塵埃を吸入したり、建物内の空気中に飛散させてしまうおそれがなくなり、フィルタをフィルタ固定枠から取り外す際の作業性が向上する。尚、フィルタ交換用蓋体によって覆われるフィルタの面を「少なくとも上流側」としたのは、フィルタの下流側の面に比べてフィルタの上流側の面において捕捉される塵埃等の量が多いためである。このため、例えば、フィルタが非常に汚れている場合には、フィルタをフィルタ固定枠から取り外す前に、フィルタの上流側の面だけでなく、フィルタの下流側の面にもフィルタ交換用蓋体を取り付けることが望ましい。
【００１３】
第７の発明にかかるフィルタ交換方法は、第６の発明にかかるフィルタ交換方法において、フィルタ交換用蓋体をフィルタに取り付ける際に、フィルタの上流側から下流側に向かって空気を流す運転を行う。
このフィルタ交換方法では、フィルタの上流側から下流側に向かって空気を流す運転を行うことによって、フィルタ交換用蓋体をフィルタに取り付ける際に、フィルタから捕捉された塵埃等が落ちるのを防ぐことができる。
【発明の効果】
【００１４】
以上の説明に述べたように、本発明によれば、以下の効果が得られる。
第１の発明では、空気清浄フィルタユニットのフィルタ交換作業時において、フィルタをフィルタ固定枠から取り外す際の塵埃等の飛散を防ぐことができる。
第２の発明では、フィルタ側の面にフィルタ枠に貼り付けるための接着剤又は粘着剤が付着した接着部が設けられているため、フィルタへの取り付けが容易である。
【００１５】
第３の発明では、フィルタ枠とろ材との間に差し込むための差込部が設けられているため、フィルタへの取り付けが容易である。
第４の発明では、フィルタ側の面に殺菌剤が塗布又は含浸された殺菌部が設けられているため、フィルタの滅菌処理を併せて行うことができる。
第５の発明では、フィルタ交換作業時において、フィルタをフィルタ固定枠から取り外す前に、フィルタの少なくとも上流側の面を覆うようにフィルタに取り付けられるフィルタ交換用蓋体を係止するためのフィルタ枠に係止部が設けられているため、フィルタをフィルタ固定枠から取り外す際の塵埃等の飛散を防ぐことができる。
【００１６】
第６の発明では、空気清浄フィルタユニットのフィルタ交換作業時において、フィルタをフィルタ固定枠から取り外す際の塵埃等の飛散を防ぐことができる。
第７の発明では、フィルタ交換用蓋体をフィルタに取り付ける際に、フィルタから捕捉された塵埃等が落ちるのを防ぐことができる。
【発明を実施するための最良の形態】
【００１７】
以下、図面に基づいて、本発明にかかるフィルタ交換用蓋体、空気清浄フィルタユニット、及びフィルタ交換方法の実施形態について説明する。
［第１実施形態］
（１）空気清浄フィルタユニットの構成
空気清浄フィルタユニットとしては、ダクト式の空気清浄システムの吸気口、ダクトの途中や排気口に設置されるもの、ダクト式空気調和装置の排気口や環気口に設けられるもの、全熱交換装置の吸気口や排気口に設けられるものや、床置式等の空気清浄機の吸気口に設けられるもの等がある。
【００１８】
このような空気清浄フィルタユニットの一例として、図１に示されるような天井裏空間に埋め込み設置された排気用の空気清浄フィルタユニット１がある。
この空気清浄フィルタユニット１は、主として、ユニットケーシング２を備えている。ユニットケーシング２は、下面に開口からなる室内から排気される空気の入口となる入口開口２ａを有する箱体であり、天井面Ｕに図示しない金具等を介して埋め込み設置されている。また、ユニットケーシング２の下側には、入口開口２ａを室内側から覆うように排気口グリル３が設けられている。また、ユニットケーシング２は、側面にユニットケーシング２内の空気の出口となる出口ノズル２ｂを有しており、本実施形態において、排気ファン６１が接続された排気ダクト６２にフランジ接続されている。ユニットケーシング２の内部には、その内部空間を入口開口２ａ側の上流側空間Ｓ１と、出口ノズル２ｂ側の下流側空間Ｓ２とに分割するように、空気中の塵埃等を捕捉するフィルタ４が設けられている。これにより、室内の空気は、排気ファン６１を運転することによって、排気口グリル３及び入口開口２ａを通じてユニットケーシング２の上流側空間Ｓ１に吸入され、フィルタ４において塵埃等が除去された後に、下流側空間Ｓ２、出口ノズル２ｂ及び排気ダクト６２を通じて、室外に排気される（図１の白抜きの矢印参照）。
【００１９】
フィルタ４は、空気中の塵埃等を捕捉するろ材４１と、ろ材４１の周縁部を囲むフィルタ枠４２とを有している。ろ材４１は、例えば、その断面がプリーツ形状に折り曲げられたガラス繊維や樹脂繊維等からなる略四角形状の布体である。フィルタ枠４２は、ろ材４１の周縁部を囲んで支持する樹脂、金属、紙や不織布等からなる略四角形状の枠体であり、その上流側及び下流側の両端部がろ材４１の周縁部を挟むように内周側に向かって延びている。そして、フィルタ４は、ユニットケーシング２に着脱可能に固定されている。具体的には、ユニットケーシング２の内面には、フィルタ枠４２の周縁部を固定するフィルタ固定枠２１が設けられている。このフィルタ固定枠２１は、本実施形態において、ユニットケーシング２の側面の内面に囲まれるように配置されている。フィルタ固定枠２１は、ユニットケーシング２の側面の内面から内側に向かって延びており、フィルタ４の下流側の面（具体的には、フィルタ枠４２の下流側の端部）に当接する四角環状の当接部２１ａを有している。また、フィルタ固定枠２１は、当接部２１ａからフィルタ４の上流側に向かって延びており、フィルタ枠４２が嵌合可能な四角環状の嵌合部２１ｂを有している。これにより、フィルタ４は、図２に示されるように、上流側空間Ｓ１からフィルタ固定枠２１に嵌め込まれて固定される（図２の矢印Ａ参照）。このとき、図２に示されるように、フィルタ枠４２の下流側の端部とフィルタ固定枠２１の当接部２１ａとの間に、必要に応じて、パッキン２２を介在させて、フィルタ枠４２とフィルタ固定枠２１との間のシール性を向上させてもよい。また、フィルタ枠４２の下流側の端部とフィルタ固定枠２１の当接部２１ａとをネジ等で固定してもよい。
【００２０】
（２）使用済みフィルタの交換方法
次に、空気清浄フィルタユニット１の使用済みフィルタ４の交換方法について説明する。
使用済みフィルタの交換方法は、次の手順によって行われる。
まず、フィルタ交換作業者が、空気清浄フィルタユニット１の排気口グリル３を取り外す。
【００２１】
例えば、図３及び図４に示されるように、フィルタ４の上流側の面を覆うように、フィルタ４にロール状に巻かれたシート状のフィルタ交換用蓋体７１を取り付ける（図３の矢印Ｂ参照）。ここで、フィルタ交換用蓋体７１は、図６に示されるように、主として、空気の透過性が低い素材からなるラミネート面部７１ａと、不織布等からなるシート本体７１ｂと、フィルタ枠４２の上流側の端部に貼り付けるための接着剤又は粘着剤が付着した接着面部７１ｃとを有している。これにより、フィルタ４の上流側の面は、フィルタ交換用蓋体７１によって覆われることになる。また、フィルタ交換用蓋体７１をフィルタ４に取り付ける際には、排気ファン６１を運転することによって、フィルタ４の上流側から下流側に向かって空気を流してフィルタ４から捕捉された塵埃等が落ちるのを防ぐようにしてもよい。しかも、排気ファン６１として、風量を可変できるタイプのファンを使用している場合には、その風量を小さくする制御を行うようにすることが望ましい。
【００２２】
尚、空気清浄フィルタユニット１が医療施設等の細菌類を含む塵埃等の除去を目的として設置される場合には、フィルタ交換用蓋体７１のフィルタ４側の面であるシート本体７１ｂや接着面部７１ｃに殺菌剤を塗布又は含浸させておくことで、シート本体７１ｂや接着面部７１ｃを殺菌部として機能させて、フィルタ交換用蓋体７１をフィルタ４に取り付ける作業とともに、フィルタ４の滅菌処理も併せて行うようにしてもよい。
【００２３】
その後、図５に示されるように、フィルタ交換用蓋体７１が取り付けられた使用済みフィルタ４をフィルタ固定枠２１から取り外して（図５の矢印Ｃ参照）、図３に示されるように、新しいフィルタ４と交換し、使用済みフィルタ４を廃棄する。
また、上記のようなシート状のフィルタ交換用蓋体７１ではなく、図７及び図８に示されるような板状のフィルタ交換用蓋体７２を使用してもよい。フィルタ交換用蓋体７２は、図８に示されるように、主として、空気の透過性が低い素材からなる板本体７２ａと、必要に応じて板本体７２ａの外周縁に設けられるパッキン７２ｂと、フィルタ枠４２の上流側の端部に貼り付けるための接着剤又は粘着剤が付着した接着面部７２ｃとを有している。これにより、フィルタ４の上流側の面は、図７に示されるように、フィルタ交換用蓋体７２によって覆われることになる（図７の矢印Ｄ参照）。
【００２４】
また、上記のような接着面部７２ｃによってフィルタ４に接着可能な板状のフィルタ交換用蓋体７２の代わりに、図９及び図１０に示されるように、板本体７３ａの周縁部からさらに外周側に向かって延びる板状の差込部７３ｄを有するフィルタ交換用蓋体７３を使用してもよい。この差込部７３ｄは、図９に示されるように、フィルタ枠４２とろ材４１との間に差し込んで位置決めした後に（図９の矢印Ｅ参照）、接着面部７３ｃをフィルタ枠４２に接着することができるため、フィルタ交換用蓋体７３をフィルタ４に取り付けることが容易となる。
【００２５】
また、上記のような接着面部７２ｃ、７３ｃによってフィルタ４に接着可能な板状のフィルタ交換用蓋体７２、７３の代わりに、図１１及び図１２に示されるように、板状のフィルタ交換用蓋体７４を係止するための係止部４３をフィルタ枠４２に設けるようにしてもよい。この係止部４３は、フィルタ枠４２の端部に設けられた爪状部分であり、フィルタ枠４２の上流側の面との間に板状のフィルタ交換用蓋体７４の縁部を挟みこむように係止することができる。これにより、フィルタ交換用蓋体７４は、図１２に示されるように、弾性変形等をさせてフィルタ枠４２の上流側の面と係止部４３との間に挟みこまれることによってフィルタ枠４２に係止されて、フィルタ４の上流側の面がフィルタ交換用蓋体７４によって覆われることになる（図１２の矢印Ｆ参照）。
【００２６】
尚、上記のフィルタ交換用蓋体７１、７２、７３、７４は、フィルタ４の上流側の面を覆うようにフィルタ４に取り付けられているが、これは、フィルタ４の下流側の面に比べてフィルタ４の上流側の面に捕捉される塵埃等の量が多いためであり、少なくともフィルタ４の上流側の面を覆わないと、フィルタ４をフィルタ固定枠２１から取り外す際に、フィルタ４に捕捉された塵埃等が飛散しないようにすることができないからである。このため、フィルタ４が非常に汚れている場合には、例えば、図１３に示されるフィルタ４の上流側の面に加えて下流側の面にもフィルタ交換用蓋体７１を取り付ける等のように、フィルタ４をフィルタ固定枠２１から取り外す前に、フィルタ４の上流側の面だけでなく、フィルタ４の下流側の面にもフィルタ交換用蓋体７１、７２、７３、７４を取り付けることが望ましい。
【００２７】
（３）特徴
本実施形態の空気清浄フィルタユニット１の使用済みフィルタ４の交換方法、それに用いられるフィルタ交換用蓋体７１、７２、７３、７４及び空気清浄フィルタユニット１のフィルタ枠４２には、以下のような特徴がある。
（Ａ）
本実施形態の空気清浄フィルタユニット１のフィルタ交換方法は、空気中の塵埃等を捕捉するろ材４１とろ材４１の周縁部を囲むフィルタ枠４２とを有するフィルタ４と、フィルタ枠４２の周縁部を固定するフィルタ固定枠２１とを備えた空気清浄フィルタユニット１における使用済みフィルタ４の交換方法を対象としており、フィルタ４の少なくとも上流側の面を覆うようにフィルタ４にフィルタ交換用蓋体７１、７２、７３、７４を取り付け、次に、フィルタ交換用蓋体７１、７２、７３、７４が取り付けられたフィルタ４をフィルタ固定枠２１から取り外し、新しいフィルタ４と交換することにより行われる。
【００２８】
このフィルタ交換方法では、空気清浄フィルタユニット１のフィルタ交換作業時において、使用済みのフィルタ４をフィルタ固定枠２１から取り外す前に、フィルタ４の少なくとも上流側の面を覆うようにフィルタ４にフィルタ交換用蓋体７１、７２、７３、７４を取り付けるようにしているため、使用済みのフィルタ４をフィルタ固定枠２１から取り外す際の塵埃等の飛散を防ぐことができる。これにより、例えば、空気清浄フィルタユニット１が医療施設や工場等に設置される場合には、フィルタ交換作業者が細菌類や有害な化学物質を含んだ塵埃を吸入したり、建物内の空気中に飛散させてしまうおそれがなくなり、フィルタ４をフィルタ固定枠２１から取り外す際の作業性を向上させることができる。
【００２９】
また、フィルタ交換用蓋体７１、７２、７３、７４を使用済みのフィルタ４に取り付ける際に、排気ファン６１等の送風手段により、フィルタ４の上流側から下流側に向かって空気を流す運転を行うことによって、捕捉された塵埃等がフィルタ４から落ちるのを防ぐことができる。しかも、排気ファン６１として、風量を可変できるタイプのファンを使用し、フィルタ交換用蓋体７１、７２、７３、７４を使用済みのフィルタ４に取り付ける際に流す空気の風量を小さくする制御を行うことによって、フィルタ交換用蓋体７１、７２、７３、７４を使用済みのフィルタ４に取り付ける際の作業性を損なわないように配慮することが望ましい。
【００３０】
（Ｂ）
上記のフィルタ交換方法に使用されるフィルタ交換用蓋体としては、フィルタ４側の面に、フィルタ枠４２に貼り付けるための接着剤又は粘着剤が付着した接着面部７１ｃ、７２ｃが設けられたフィルタ交換用蓋体７１、７２や、フィルタ枠４２とろ材４１との間に差し込むための差込部７３ｄが設けられたフィルタ交換用蓋体７３があり、フィルタ４への取り付けが容易である。
【００３１】
また、上記のように、フィルタ交換用蓋体にフィルタ４に取り付けるための手段を設けるだけでなく、フィルタ４のフィルタ枠４２に係止部４３を設けることにより、フィルタ交換用蓋体７４を係止するようにしてもよい。
（Ｃ）
また、空気清浄フィルタユニット１が医療施設等の細菌類を含む塵埃等の除去を目的として設置される場合には、フィルタ交換用蓋体７１、７２、７３、７４のフィルタ４側の面に殺菌剤を塗布又は含浸させた殺菌部を設けることにより、フィルタ交換用蓋体７１、７２、７３、７４をフィルタ４に取り付ける作業とともに、フィルタ４の滅菌処理も併せて行うことができる。
【００３２】
（４）変形例
前記実施形態の空気清浄フィルタユニット１においては、フィルタ４が、図２に示されるように、上流側空間Ｓ１からフィルタ固定枠２１に嵌め込まれて固定されるようになっているが（図２参照）、図１４に示されるように、フィルタ４が、下流側空間Ｓ２からフィルタ固定枠２１に嵌め込まれて固定されるようになっていてもよい（図１４の矢印Ｇ参照）具体的には、本変形例においては、フィルタ４を固定するフィルタ固定枠２１の嵌合部２１ｂが当接部２１ａからフィルタ４の下流側に向かって延びるように設けられており、当接部２１ａの下流側の面にフィルタ４の上流側の面（具体的には、フィルタ枠４２の上流側の端部）に当接している。
【００３３】
このような変形例においても、前記実施形態と同様に、空気清浄フィルタユニット１のフィルタ交換作業時において、使用済みのフィルタ４をフィルタ固定枠２１から取り外す前に、フィルタ４の少なくとも上流側の面を覆うようにフィルタ４にフィルタ交換用蓋体７１、７２、７３、７４を取り付けることによって、使用済みのフィルタ４をフィルタ固定枠２１から取り外す際の塵埃等の飛散を防ぐことができる。
【００３４】
［第２実施形態］
（１）空気清浄フィルタユニットの構成
空気清浄フィルタユニットとしては、ダクト式の空気清浄システムの吸気口、ダクトの途中や排気口に設置されるもの、ダクト式空気調和装置の排気口や環気口に設けられるもの、全熱交換装置の吸気口や排気口に設けられるものや、床置式等の空気清浄機の吸気口に設けられるもの等がある。
【００３５】
このような空気清浄フィルタユニットの一例として、図１５に示されるような天井裏空間において排気ダクト１６２の途中に挿入されるように設置された排気用の空気清浄フィルタユニット１０１がある。
この空気清浄フィルタユニット１０１は、主として、ユニットケーシング１０２を備えている。ユニットケーシング１０２は、排気ダクト１６２よりも大きな流路断面を有する断面が略四角形状の箱体であり、本実施形態において、排気ダクト１６２にフランジ接続される入口ノズル１０２ａ及び出口ノズル１０２ｂを有している。また、排気ダクト１６２には、出口ノズル１０２ｂから流出する空気を吸入して吐出するように接続された排気ファン１６１が接続されている。そして、ユニットケーシング１０２の内部には、その内部空間を入口ノズル１０２ａ側の上流側空間Ｓ１と、出口ノズル１０２ｂ側の下流側空間Ｓ２とに分割するように、空気中の塵埃等を捕捉するフィルタ１０４が設けられている。これにより、室内の空気は、排気ファン１６１を運転することによって、排気ダクト１６２及び入口ノズル１０２ａを通じてユニットケーシング１０２の上流側空間Ｓ１に吸入され、フィルタ１０４において塵埃等が除去された後に、下流側空間Ｓ２、出口ノズル１０２ｂ及び排気ダクト１６２を通じて、室外に排気される（図１５の白抜きの矢印参照）。
【００３６】
フィルタ１０４は、空気中の塵埃等を捕捉するろ材１４１と、ろ材１４１の周縁部を囲むフィルタ枠１４２とを有している。ろ材１４１は、例えば、その断面がプリーツ形状に折り曲げられたガラス繊維や樹脂繊維等からなる略四角形状の布体である。フィルタ枠１４２は、ろ材１４１の周縁部を囲んで支持する樹脂や金属等からなる略四角形状の枠体であり、その上流側及び下流側の両端部がろ材１４１の周縁部を挟むように内周側に向かって延びている。そして、フィルタ１０４は、ユニットケーシング１０２に着脱可能に固定されている。具体的には、ユニットケーシング２の内面には、フィルタ枠１４２の周縁部を固定するフィルタ固定枠１２１が設けられている。このフィルタ固定枠１２１は、本実施形態において、フィルタ枠１４２のフィルタ枠１４２の上側周縁部及び下側周縁部を横方向にスライド可能に、かつ、上流側及び下流側に移動不能に支持する上側支持部１２２及び下側支持部１２３を有している。この上側支持部１２２は、フィルタ１０４の上流側の面（具体的には、フィルタ枠１４２の上流側の上端部）に当接する上流側当接部１２２ａと、上流側当接部１２２ａからフィルタ１０４の下流側に向かって延びるフィルタ枠１４２の上端部が嵌合可能な嵌合部１２２ｂと、フィルタ１０４の下流側の面（具体的には、フィルタ枠１４２の下流側の上端部）に当接する下流側当接部１２２ｃとを有している。また、下側支持部１２３は、フィルタ１０４の上流側の面（具体的には、フィルタ枠１４２の上流側の下端部）に当接する上流側当接部１２３ａと、上流側当接部１２３ａからフィルタ１０４の下流側に向かって延びるフィルタ枠１４２の下端部が嵌合可能な嵌合部１２３ｂと、フィルタ１０４の下流側の面（具体的には、フィルタ枠１４２の下流側の下端部）に当接する下流側当接部１２３ｃとを有している。さらに、ユニットケーシング１０２の側面の一部は、図１６に示されるように、フィルタ１０４をユニットケーシング１０２内から引き出す際に開けることが可能なフィルタ引出用蓋部１０２ｃとなっている。
これにより、フィルタ１０４は、図１７に示されるように、フィルタ引出用蓋部１０２ｃを開けて、ユニットケーシング１０２の側面からフィルタ固定枠１２１の上側支持部１２２及び下側支持部１２３上を横方向にスライドさせることによって、フィルタ固定枠１２１に固定される（図１７の矢印Ｈ参照）。
【００３７】
（２）使用済みフィルタの交換方法
次に、空気清浄フィルタユニット１０１の使用済みフィルタ１０４の交換方法について説明する。
使用済みフィルタの交換方法は、次の手順によって行われる。
まず、フィルタ交換作業者が、空気清浄フィルタユニット１０１のフィルタ引出用蓋部１０２ｃを取り外す。
【００３８】
例えば、図１８及び図１９に示されるように、フィルタ１０４の上流側の面を覆うように、フィルタ１０４にロール状に巻かれたシート状のフィルタ交換用蓋体１７１を取り付ける（図１８の矢印Ｊ参照）。ここで、フィルタ交換用蓋体１７１は、図６に示されるフィルタ交換用蓋体７１と同様の構造を有している。これにより、フィルタ１０４の上流側の面は、フィルタ交換用蓋体１７１によって覆われることになる。また、フィルタ交換用蓋体１７１をフィルタ１０４に取り付ける際には、排気ファン１６１を運転することによって、フィルタ１０４の上流側から下流側に向かって空気を流してフィルタ１０４から捕捉された塵埃等が落ちるのを防ぐようにしてもよい。しかも、排気ファン１６１として、風量を可変できるタイプのファンを使用している場合には、その風量を小さくする制御を行うようにすることが望ましい。さらに、ユニットケーシング１０２内及び排気ダクト１６２内の気圧を外部の気圧よりも低くすることによって、フィルタ引出用蓋部１０２ｃを取り外すことによって開放された開口から塵埃等で汚れた空気が外部に流れ出して、フィルタ交換作業者がその汚れた空気をあびないようにすることが望ましい。
【００３９】
尚、空気清浄フィルタユニット１０１が医療施設等の細菌類を含む塵埃等の除去を目的として設置される場合には、第１実施形態のフィルタ交換用蓋体７１と同様に、フィルタ交換用蓋体１７１のフィルタ１０４側の面に殺菌剤を塗布又は含浸させて殺菌部として機能させることで、フィルタ交換用蓋体１７１をフィルタ１０４に取り付ける作業とともに、フィルタ１０４の滅菌処理も併せて行うようにしてもよい。
【００４０】
その後、図２０に示されるように、フィルタ交換用蓋体１７１が取り付けられた使用済みフィルタ１０４を横方向に引き出すことによってフィルタ固定枠１２１から取り外して（図２０の矢印Ｋ参照）、図１７に示されるように、新しいフィルタ１０４と交換し、使用済みフィルタ１０４を廃棄する。
また、上記のようなシート状のフィルタ交換用蓋体１７１ではなく、図８に示される板状のフィルタ交換用蓋体７２や、図１０に示される差込部を有するフィルタ交換用蓋体７３と同様の構造を有するフィルタ交換用蓋体を使用してもよい。
【００４１】
また、上記のような接着面部によってフィルタ１０４に接着可能な板状のフィルタ交換用蓋体の代わりに、図２１及び図２２に示されるように、板状のフィルタ交換用蓋体１７４を係止するための係止部１４３をフィルタ枠１４２に設けるようにしてもよい。この係止部１４３は、フィルタ枠１４２の上流側の端部に設けられた爪状部分であり、フィルタ枠１４２の上端部及び下端部の上流側の面との間に板状のフィルタ交換用蓋体１７４の上縁部及び下縁部を挟みこむように係止することができる。これにより、フィルタ交換用蓋体１７４は、図２３に示されるように、ユニットケーシング１０２の側面からフィルタ固定枠１２１の上側支持部１２２及び下側支持部１２３上を横方向にスライドさせることによって、フィルタ固定枠１２１に固定させる場合と同様に、ユニットケーシング１０２の側面から係止部１４３上を横方向にスライドさせることによって、フィルタ枠１４２に固定される（図２３の矢印Ｌ参照）。その後、フィルタ交換用蓋体１７４が取り付けられた使用済みフィルタ１０４を横方向に引き出すことによってフィルタ固定枠１２１から取り外して、新しいフィルタ１０４と交換し、使用済みフィルタ１０４を廃棄する。
【００４２】
さらに、第１実施形態のフィルタ交換用蓋体７１を取り付ける場合と同様に、フィルタ１０４をフィルタ固定枠１２１から取り外す前に、フィルタ１０４の上流側の面だけでなく、フィルタ１０４の下流側の面にもフィルタ交換用蓋体を取り付けてもよい。
【産業上の利用可能性】
【００４３】
本発明を利用すれば、空気清浄フィルタユニットにおいて、フィルタ交換作業時の使用済みフィルタの取り外し時に、捕捉された塵埃等が使用済みフィルタから飛散するのを防ぐことができる。
【図面の簡単な説明】
【００４４】
【図１】第１実施形態にかかる天井裏空間に埋め込み設置された排気用の空気清浄フィルタユニットの概略構造を示す断面図である。
【図２】フィルタをフィルタ固定枠に取り付けようとしている状態を示す図である。
【図３】フィルタにシート状のフィルタ交換用蓋体を取り付けようとしている状態を示す図である。
【図４】シート状のフィルタ交換用蓋体がフィルタに取り付けられた状態を示す図である。
【図５】シート状のフィルタ交換用蓋体が取り付けられたフィルタをフィルタ固定枠から取り外している状態を示す図である。
【図６】シート状のフィルタ交換用蓋体の断面を拡大して示す図である。
【図７】フィルタに板状のフィルタ交換用蓋体を取り付けようとしている状態を示す図である。
【図８】板状のフィルタ交換用蓋体の端部の断面を拡大して示す図である。
【図９】フィルタに差込部を有する板状のフィルタ交換用蓋体を取り付けようとしている状態を示す図である。
【図１０】差込部を有する板状のフィルタ交換用蓋体の端部の断面を拡大して示す図である。
【図１１】係止部を有するフィルタを示す断面図である。
【図１２】係止部を有するフィルタに板状のフィルタ交換用蓋体を取り付けようとしている状態を示す図である。
【図１３】フィルタの上流側及び下流側の両面にシート状のフィルタ交換用蓋体を取り付けようとしている状態を示す図である。
【図１４】第１実施形態の変形例にかかる空気清浄フィルタユニットにおいて、フィルタをフィルタ固定枠に取り付けようとしている状態を示す図である。
【図１５】第２実施形態にかかる天井裏空間に排気ダクトの途中に挿入されるように設置された排気用の空気清浄フィルタユニットの概略構造の断面図である。
【図１６】図１５のＩ−Ｉ断面図である。
【図１７】フィルタをフィルタ固定枠に取り付けようとしている状態を示す図である。
【図１８】フィルタにシート状のフィルタ交換用蓋体を取り付けようとしている状態を示す図である。
【図１９】シート状のフィルタ交換用蓋体がフィルタに取り付けられた状態を示す図である。
【図２０】シート状のフィルタ交換用蓋体が取り付けられたフィルタをフィルタ固定枠から取り外している状態を示す図である。
【図２１】係止部を有するフィルタを示す断面図である。
【図２２】図２１のＩ−Ｉ断面図である。
【図２３】係止部を有するフィルタに板状のフィルタ交換用蓋体を取り付けようとしている状態を示す図である。
【符号の説明】
【００４５】
１、１０１  空気清浄フィルタユニット
４、１０４  フィルタ
２１、１２１  フィルタ固定枠
４１、１４１  ろ材
４２、１４２  フィルタ枠
７１〜７４、１７１、１７４  フィルタ交換用蓋体
７１ｃ、７２ｃ、７３ｃ  接着面部（接着部）
７３ｄ  差込部
【図１】
2006015212.tif 000003
【図２】
2006015212.tif 000004
【図３】
2006015212.tif 000005
【図４】
2006015212.tif 000006
【図５】
2006015212.tif 000007
【図６】
2006015212.tif 000008
【図７】
2006015212.tif 000009
【図８】
2006015212.tif 000010
【図９】
2006015212.tif 000011
【図１０】
2006015212.tif 000012
【図１１】
2006015212.tif 000013
【図１２】
2006015212.tif 000014
【図１３】
2006015212.tif 000015
【図１４】
2006015212.tif 000016
【図１５】
2006015212.tif 000017
【図１６】
2006015212.tif 000018
【図１７】
2006015212.tif 000019
【図１８】
2006015212.tif 000020
【図１９】
2006015212.tif 000021
【図２０】
2006015212.tif 000022
【図２１】
2006015212.tif 000023
【図２２】
2006015212.tif 000024
【図２３】
2006015212.tif 000025